(57)【要約】【課題】携帯端末を片手で確実に保持することができ、しかも携帯端末をその液晶表示部の側を上にして平坦な場所に置いてもガタつくことがない携帯端末用保持具を提供する。【解決手段】携帯端末用保持具は、第三開口部２１３を有する背板部２０と、可動部３０とを備える。背板部２０は、携帯端末用のケース１０の裏面に取り付けられる。可動部３０は、薄板状の基部３１と、基部３１の中央部に突出するように設けられた、背板部２０の厚さと略同じ厚さを持つ凸状部３２と、凸状部３２の中央部に形成された凹部３５と、常時は凹部３５内に収納され、使用時には凹部から起立できるように起立自在に凸状部３２に取り付けられたリング部３３とを有する。凸状部３２は第三開口部２１３に嵌め込まれ、基部３１はケース１０の裏面と背板部２０との間に嵌装され、可動部３０は回転自在に構成されている。【選択図】図２
2014187586.tif 000002
【特許請求の範囲】
【請求項１】
液晶表示部を備える携帯端末の裏面に又はその携帯端末の側面及び裏面を覆うケースの裏面に取り付けられる、開口部を有する背板部と、
薄板状の基部と、前記基部の中央部に突出するように設けられた、前記背板部の厚さと略同じ厚さを持つ凸状部と、前記凸状部の中央部に形成された凹部と、常時は前記凹部内に収納され、使用時には前記凹部から起立できるように起立自在に前記凸状部に取り付けられたリング部とを有する可動部と、
を備え、
前記凸状部は前記背板部の前記開口部に嵌め込まれ、前記基部は前記携帯端末の裏面又は前記ケースの裏面と前記背板部との間に嵌装され、前記可動部が回転自在に構成されていることを特徴とする携帯端末用保持具。
【請求項２】
前記開口部は前記背板部の長手方向に伸びた形状に形成され、前記可動部は前記開口部内において前記背板部の長手方向にスライド自在に構成されていることを特徴とする請求項１記載の携帯端末用保持具。
【請求項３】
前記リング部は前記凸状部に脱着可能に取り付けられていることを特徴とする請求項１又は２記載の携帯端末用保持具。
【発明の詳細な説明】
【技術分野】
【０００１】
本発明は、液晶表示部を備える携帯端末又はその携帯端末の側面及び裏面を覆うケースに使用する携帯端末用保持具に関するものである。
【背景技術】
【０００２】
現在、タッチパネル方式の液晶表示部を備える携帯端末、例えばスマートフォンやタブレット端末が広く普及している。このスマートフォン等の携帯端末では、タッチパネル方式の液晶表示部に指でタッチして入力等の操作を行うことができる。このようなタッチパネル方式の液晶表示部を備える携帯端末については、片手で保持して操作するための携帯端末用ケース（又はカバー）が提供されている。
【０００３】
例えば、従来の携帯端末用ケースの中には、特開２０１３−５５５１０号公報に記載されているような携帯端末の保護カバーがある。この携帯端末の保護カバーは、携帯端末の裏面と側面とを覆うようにして携帯端末に装着されるものであり、背面にはベルトが設けられている。このような保護カバーを装着した携帯端末では、親指以外の指をベルトに挿入して携帯端末を保持し、親指で入力操作等を行うことができる。すなわち、この保護カバーを携帯端末に装着することにより、使用者は片手で携帯端末を保持して入力操作等を行うことができる。
【先行技術文献】
【特許文献】
【０００４】
【特許文献１】特開２０１３−５５５１０号公報
【発明の概要】
【発明が解決しようとする課題】
【０００５】
ところで、従来の携帯端末の保護カバーでは、ベルトがその背面から出っ張った状態で背面に設けられている。このため、この保護カバーを装着した携帯端末をテーブル等の平坦な場所に置くと、背面に設けたベルトが原因で、その置いた携帯端末が前後及び／又は左右に傾いてガタつくようになる。したがって、従来の保護カバーを装着した携帯端末については、テーブル等の上に置いて入力操作等を行おうとするとガタつくので、操作がしにくいという問題があり、しかも、操作中、画面が揺れるので、画面の表示内容が見難いという問題がある。また、従来の保護カバーを装着した携帯端末は、携帯端末をバッグ等に出し入れするときに、ベルトの部分が他のものに引っ掛かったりするので、従来の保護カバーを装着した携帯端末については、バッグ等への出し入れをスムーズにできないという問題がある。
【０００６】
本発明は上記事情に基づいてなされたものであり、携帯端末を片手で確実に保持することができ、しかも携帯端末をその液晶表示部の側を上にして平坦な場所に置いてもガタつくことがない携帯端末用保持具を提供することを目的とするものである。
【課題を解決するための手段】
【０００７】
上記の目的を達成するための本発明に係る携帯端末用保持具は、
液晶表示部を備える携帯端末の裏面に又はその携帯端末の側面及び裏面を覆うケースの裏面に取り付けられる、開口部を有する背板部と、
薄板状の基部と、基部の中央部に突出するように設けられた、背板部の厚さと略同じ厚さを持つ凸状部と、凸状部の中央部に形成された凹部と、常時は凹部内に収納され、使用時には凹部から起立できるように起立自在に凸状部に取り付けられたリング部とを有する可動部と、
を備え、
凸状部は背板部の開口部に嵌め込まれ、基部は携帯端末の裏面又はケースの裏面と背板部との間に嵌装され、可動部が回転自在に構成されていることを特徴とするものである。
【０００８】
本発明は上記の構成を備えることにより、リング部を凸状部の中央部に形成された凹部内から引き出して起立させたときに、そのリング部に親指以外の指（例えば、中指又は薬指）を通して携帯端末を片手で確実に保持することができるので、携帯端末の落下を防止することができる。また、リング部を倒して凹部内に収納することにより、背板部を平坦な状態にすることができるので、携帯端末をその液晶表示部の側を上にしてテーブル等の平坦な場所に置いて入力操作等を行っても、携帯端末がガタつくことはない。また、可動部は回転自在に構成されているので、指をリング部に通した状態のまま、携帯端末を回転してその携帯端末の姿勢を縦（横）から横（縦）に容易に変更し、画面の表示方向を切り替えることができる。更に、リング部を起立させると、本発明の携帯端末用保持具を携帯端末用のスタンドとして使用することも可能である。
【０００９】
また、本発明の携帯端末用保持具において、開口部は背板部の長手方向に伸びた形状に形成され、可動部は開口部内において背板部の長手方向にスライド自在に構成されていることが望ましい。これにより、使用者は可動部をスライドさせると、リング部に指を通した手の親指が携帯端末の画面の隅々まで容易に届くようになるので、本発明の携帯端末用保持具を使用すると、手の小さい子供や女性であっても、片手で携帯端末を保持したまま、その手の親指を用いて文字の入力操作等を容易に行うことができる。
【００１０】
更に、本発明の携帯端末用保持具において、リング部は凸状部に脱着可能に取り付けられていることが望ましい。これにより、使用者はリング部を自分の指のサイズに適した大きさのものに容易に取り替えることができる。
【発明の効果】
【００１１】
本発明の携帯端末用保持具では、リング部を凸状部の中央部に形成された凹部内から引き出して起立させたときに、そのリング部に指を通して携帯端末を片手で確実に保持することができるので、携帯端末の落下を防止することができる。また、リング部を倒して凹部内に収納することにより、背板部を平坦な状態にすることができるので、携帯端末をその液晶表示部の側を上にして平坦な場所に置いて入力操作等を行っても、携帯端末がガタつくことはない。
【図面の簡単な説明】
【００１２】
【図１】図１は本発明の一実施形態である携帯端末用保持具を携帯端末用ケースに取り付けた状態を示す概略斜視図である。
【図２】図２はその携帯端末用保持具を携帯端末用ケースにどのように取り付けるかを説明するための概略斜視図である。
【図３】図３（ａ）は携帯端末用ケースの概略平面図、図３（ｂ）その携帯端末用ケースの概略側面図である。
【図４】図４（ａ）は本実施形態の携帯端末用保持具の背板部の概略平面図、図４（ｂ）その背板部の概略側面図である。
【図５】図５（ａ）は本実施形態の携帯端末用保持具の可動部の概略平面図、図５（ｂ）その可動部の概略側面図である。
【図６】図６は本実施形態の携帯端末用保持具の使用態様の一例を説明するための概略斜視図である。
【発明を実施するための形態】
【００１３】
以下に、図面を参照して、本願に係る発明を実施するための最良の形態について説明する。図１は本発明の一実施形態である携帯端末用保持具を携帯端末用ケースに取り付けた状態を示す概略斜視図、図２はその携帯端末用保持具を携帯端末用ケースにどのように取り付けるかを説明するための概略斜視図である。図３（ａ）は携帯端末用ケースの概略平面図、図３（ｂ）その携帯端末用ケースの概略側面図である。図４（ａ）は本実施形態の携帯端末用保持具の背板部の概略平面図、図４（ｂ）その背板部の概略側面図である。図５（ａ）は本実施形態の携帯端末用保持具の可動部の概略平面図、図５（ｂ）その可動部の概略側面図である。
【００１４】
本実施形態の携帯端末用保持具は、図１及び図２に示すように、携帯端末用ケース（以下、単に「ケース」とも称する。）１０に装着される。このケース１０は、タッチパネル方式の液晶表示部を備える携帯端末の側面及び裏面を覆うものである。ここでは、ケース１０として、市販のスマートフォン用のケースを用いている。
【００１５】
具体的に、ケース１０は、図２及び図３に示すように、携帯端末の側面に当接する側部１１と、携帯端末の裏面に当接する背部１２とを有する。このケース１０は、透明の合成樹脂で作製されている。また、ケース１０の側部１１において携帯端末の外部端子に対応する箇所には、開口部１１１ａ，１１１ｂ，１１１ｃが形成され、背部１２において携帯端末に備わるカメラのレンズ及びフラッシュに対応する箇所には、開口部１２１が形成されている。更に、背部１２と反対側における側部１１の先端部には、内側に湾曲した係止縁（不図示）が設けられている。携帯端末をケース１０に装着すると、携帯端末は係止縁により係止され、ケース１０から簡単に外れてしまうことはない。
【００１６】
本実施形態の携帯端末用保持具は、図１及び図２に示すように、背板部２０と、可動部３０とを備える。背板部２０は、ケース１０の裏面、すなわち背部１２上に取り付けられる。ここで、背板部２０をケース１０の裏面に取り付けるには、例えば両面テープが用いられる。図４（ｂ）に示すように、背板部２０の厚さｔ１は約２ｍｍである。また、背板部２０は、例えばアクリル樹脂で作製されている。
【００１７】
この背板部２０には、図２及び図４に示すように、第一開口部２１１と、第二開口部２１２と、第三開口部２１３とが設けられている。第一開口部２１１は、ケース１０の開口部１２１と同様に、携帯端末に備わるカメラのレンズ及びフラッシュが覆われないようにするためのものであるが、開口部１２１よりも少し小さく形成されている。また、本実施形態で使用する携帯端末の背面には製品のロゴが入っており、このロゴを外部から見えるようにするために、第二開口部２１２が形成されている。ここで、この第二開口部２１２には透明な薄板が嵌め込まれている。第三開口部２１３は、図４（ａ）に示すように、背板部２０の中央からやや右にずれたところに、背板部２０の長手方向に伸びた形状に形成されている。実際、この第三開口部２１３の形状は、所定半径の円を所定方向にずらしたときにその円が描く領域の形状になっている。第三開口部２１３は、可動部３０と係合して可動部３０の移動範囲を規制する役割を果たす。
【００１８】
可動部３０は、図２及び図５に示すように、薄板状の基部３１と、凸状部３２と、リング部３３とを有する。基部３１及び凸状部３２は、例えばアルミニウムで作製されている。具体的に、本実施形態では、基部３１と凸状部３２とを、例えば無垢のアルミニウム材から削りだしにより一体的に作製している。これにより、可動部３０の強度を高めている。尚、基部３１及び凸状部３２の素材としては、繊維強化プラスチックやエンジニアリングプラスチック等を用いることもできる。また、基部３１の厚さは約０．５ｍｍである。この基部３１は略円形状に形成されている。
【００１９】
基部３１の中央部には、基部３１から突出するように凸状部３２が設けられている。凸状部３２を上から見たときの外形は基部３１の形状と同様に円形状であるが、凸状部３２の大きさは基部３１の大きさよりも小さい。具体的に、凸状部３２は、背板部２０の第三開口部２１３に嵌め込むことができる大きさに形成されている。実際、可動部３０をケース１０に装着する際には、凸状部３２は背板部２０の第三開口部２１３に嵌め込まれ、基部３１はケース１０の裏面と背板部２０との間に嵌装される。このとき、可動部３０は、第三開口部２１３内において、回転自在であると共に第三開口部２１３に沿って背板部２０の長手方向にスライド自在であるように構成される。また、凸状部３２の厚さｔ２は、背板部２０の厚さｔ１と同じかそれより若干小さい。本実施形態では、凸状部３２の厚さｔ２を背板部２０の厚さと同じにしている。
【００２０】
また、凸状部３２の中央部には凹部３５が形成されている。この凹部３５はリング部３３を収納するための空間として利用される。尚、基部３１と凸状部３２とを一体的に作製するのではなく、個別に作製し、凸状部３２を基部３１上に取り付けるようにしてもよい。この場合、凸状部３２の中央部には大きな孔を開けておく。そして、凸状部３２を基部３１上に取り付けることにより、可動部３０（凸状部３２）の中央部に凹部３５が形成されることになる。
【００２１】
リング部３３は、凸状部３２の内側に起立自在に取り付けられている。すなわち、リング部３３は、常時は倒して凹部３５内に収納した状態（図５の状態）にすることができると共に使用時には凹部３５から引き出して板状部材３１に対して起立した状態（図１及び図２の状態）にすることができるように構成されている。このリング部３３は、親指以外の指を通すためのものである。リング部３３に指を通して携帯端末を掴むことにより、その手で携帯端末を確実に保持することができ、したがって携帯端末が落下するのを防止することができる。
【００２２】
リング部３３は、図２及び図５（ａ）に示すように、環状部３３１と二つの脚部３３２とからなり、全体として「Ω」字のような形状になっている。このリング部３３はステンレス製の棒状部材を用いて作製される。具体的に、棒状部材としてはその直径が約１．５ｍｍであるものを用い、棒状部材の中央部を円形に加工することにより環状部３３１が形成され、棒状部材の両端部を外側に折り曲げることにより二つの脚部３３２が形成される。ここで、環状部３３１の外径は約２０ｍｍである。したがって、本実施形態では、リング部３３には一本の指を挿入することができる。また、両脚部３３２における棒状部材は、その直径が約１ｍｍ程度となるように細く削られている。
【００２３】
凸状部３２の中央部に形成された凹部３５はリング部３３の外形に類似した形状になっており、リング部３３の両脚部３３２に対応する凸状部３２の箇所には、図５の紙面に平行に横穴が形成されている。リング部３３の弾性を利用し、環状部３３１を二本の指で掴んで押圧し、二つの脚部３３２間の間隔を狭くした状態で、二つの脚部３３２をそれぞれ、横穴に差し込んだ後、その押圧状態を解除することにより、リング部３３が凸状部３２に取り付けられる。一方、リング部３３を凸状部３２から取り外すには、環状部３３１を押圧して二つの脚部３３２を横穴から抜き出せばよい。このように、本実施形態では、リング部３３は凸状部３２に着脱可能に取り付けられている。このため、リング部３３として、環状部３３１の外径が異なるものを予め複数用意しておけば、使用者は、リング部３３を、自分の指の大きさに適したサイズのものに容易に取り替えることができる。
【００２４】
また、本実施形態では、横穴の近傍における凸状部３２の箇所には突起部３２１、３２１が形成されている。リング部３３を背板部３１に対して垂直に起こして起立状態とすると、リング部３３は弾性を有するので、リング部３３の環状部３３１と脚部３３２との境界部分であるくびれ部３３３は横穴方向に押されるようになり、突起部３２１の内側（図５における凹部３５の下側）に形成された小さな凹部３５１に入り込む。これにより、くびれ部３３３は突起部３２１に係止される。このため、リング部３３は、凹部３５の方に戻ろうとしても、突起部３２１に阻止され、起立状態を維持する。勿論、リング部３３に力を加えることにより、リング部３３は弾性を有するので、くびれ部３３３と突起部３２１との係止を解除し、凹部３５内に収納することができる。
【００２５】
また、リング部３３を上記のような機構により凸状部３２に取り付けているので、リング部３３が両脚部３３２を結ぶ直線を軸として回転することができる角度は９０度である。すなわち、リング部３３は、凹部３５内に収納された状態と凹部３５から引き出して板状部材３１に対して垂直に起立した状態との間でのみ自由に移動することができる。本実施形態では、凸状部３２の厚さｔ２を背板部２０の厚さｔ１と同じにするとともにリング部３３の厚さ（棒状部材の直径）を凸状部３２の厚さｔ２よりも小さくしているので、リング部３３を凹部３５内に収納したときには、背板部２０は平坦な状態になる。このため、この携帯端末用保持具を使用した携帯端末を、その液晶表示部の側を上にしてテーブル等の平坦な場所に置いても、携帯端末がガタつくことはない。
【００２６】
次に、本実施形態の携帯端末用保持具をケース１０に取り付ける方法を説明する。
まず、ケース１０の背部１２上であって、背板部２０の第三開口部２１３に対応する箇所に所定のフィルムを貼り付ける。このフィルムとしては、例えば液晶画面を保護するための保護シートを用いることができる。かかるフィルムを貼るのは、可動部３０を回転させたりスライドさせたりしたときに、可動部３０によりケース１０に傷が付いてしまうのを防止するためのである。
【００２７】
次に、ケース１０の背部１２と対向する側における背板部２０の面の端縁部に、両面テープを貼り付ける。具体的には、図４（ａ）に示す背板部２０において二点鎖線で示した部分に両面テープが貼り付けられる。ここで、両面テープとしては、その厚さが可動部３０の基部３１の厚さよりも若干大きいものを用いる。これにより、背板部２０をケース１０の背部１２に貼り付けたときに、背板部２０とケース１０の背部１２との間において可動部３０の基部３１がスムーズに移動できる程度の隙間を確保することができる。
【００２８】
その後、図２に示すように、可動部３０の凸状部３２を背板部２０の下側から第三開口部２１３に嵌め込むと共に、基部３１がケース１０と背板部２０との間に嵌装されるようにして、背板部２０をケース１０の裏面に両面テープで固定する。これにより、図１に示すような、本実施形態の携帯端末用保持具を取り付けたケース１０が得られる。このケースにおいては、可動部３０は、第三開口部２１３において、回転可能であると共に第三開口部２１３に沿って背板部２０の長手方向にスライド可能である。
【００２９】
次に、本実施形態の携帯端末用保持具の使い方を説明する。図６は本実施形態の携帯端末用保持具の使用態様の一例を説明するための概略斜視図である。
【００３０】
使用者は、上述のようにして携帯端末用保持具が取り付けられたケース１０に携帯端末を装着する。この携帯端末を使用する場合、使用者は、リング部３３を凹部３５から引き出して板状部材３１に対して起立した状態にする。そして、図６に示すように、中指（又は薬指）をリング部３３に通し、リング部３３がその指の第二関節付近に位置するようにする。このように一本の指をリング部３３に通すことにより、携帯端末を片手でしっかりと保持することができる。したがって、使用者は、携帯端末を落とす心配をすることなく、片手で文字の入力操作等を行うことができる。また、可動部３０が携帯端末の上下方向にスライド可能であるので、リング部３３に指を通した手の親指は携帯端末の画面の隅々まで容易に届くようになる。このため、手の小さい子供や女性であっても、片手で携帯端末を保持したまま、その手の親指を用いて文字の入力操作等を容易に行うことができる。
【００３１】
ところで、一般に、スマートフォン等の携帯端末では、その姿勢を縦（横）から横（縦）に変更することにより、液晶表示部の表示方向を切り替えることができる。本実施形態では、可動部３０が回転自在に構成されているので、使用者は、指をリング部３３に通した状態のまま、携帯端末を回転してその携帯端末の姿勢を縦（横）から横（縦）に容易に変更し、液晶表示部の表示方向を切り替えることができる。
【００３２】
また、携帯端末を、その液晶表示部の側を上にしてテーブル等の平坦な場所に置いた状態で使用する場合、使用者は、リング部３３を倒して凹部３５内に収納して、背板部２０を平坦な状態にする。これにより、この携帯端末をその液晶表示部の側を上にしてテーブル等に置いても、携帯端末がガタつくことはないので、使用者は携帯端末を容易に操作することができる。更に、本実施形態の携帯端末用保持具は、携帯端末用のスタンドとして利用することもできる。この場合、使用者は、リング部３３を凹部３５から引き出して板状部材３１に対して起立した状態にする。この起立した状態のリング部３３を、携帯端末を支える支持脚として使用することにより、携帯端末を縦置き又は横置きにしてテーブル上に安定して置くことができる。
【００３３】
本実施形態の携帯端末用保持具では、リング部を凸状部の中央部に形成された凹部内から引き出して起立させたときに、そのリング部に一本の指を通して携帯端末を片手で確実に保持することができるので、携帯端末の落下を防止することができる。また、リング部を倒して凹部内に収納することにより、背板部を平坦な状態にすることができるので、携帯端末をその液晶表示部の側を上にして平坦な場所に置いて入力操作等を行っても、携帯端末がガタつくことはない。更に、リング部を凹部内に収納しておけば、携帯端末をバッグ等にスムーズに出し入れすることができる。
【００３４】
また、本実施形態の携帯端末用保持具では、背板部の第三開口部は背板部の長手方向に伸びた形状に形成されており、可動部は第三開口部内において背板部の長手方向にスライド自在に構成されている。このため、使用者は可動部をスライドさせると、リング部に指を通した手の親指が携帯端末の画面の隅々まで容易に届くようになるので、本実施形態の携帯端末用保持具を使用すると、手の小さい子供や女性であっても、片手で携帯端末を保持したまま、その手の親指を用いて文字の入力操作等を容易に行うことができる。
【００３５】
更に、本実施形態の携帯端末用保持具において、リング部は凸状部に脱着可能に取り付けられているので、使用者はリング部を自分の指のサイズに適した大きさのものに容易に取り替えることができる。
【００３６】
尚、本発明は上記の実施形態に限定されるものではなく、その要旨の範囲内において種々の変形が可能である。
【００３７】
例えば、上記の実施形態では、可動部を回転自在で且つスライド自在であるように構成した場合について説明したが、第三開口部を略円形状に形成して、可動部は回転自在ではあるが、スライドすることができないように構成するようにしてもよい。
【００３８】
また、上記の実施形態では、リング部を一本の指が入る程度の大きさに形成した場合について説明したが、リング部のサイズを大きくして、リング部には二本の指を挿入するようにしてもよい。
【００３９】
また、上記の実施形態では、ケースの背部上であって、背板部の第三開口部に対応する箇所に所定のフィルムを貼る場合について説明したが、本発明はこれに限定されるものではなく、このフィルムは省略してもよい。更に、上記の実施形態では、背板部をケースの裏面に取り付けるときに、両面テープを用いたが、本発明はこれに限定されものではなく、接着剤等を用いて背板部をケースの裏面に取り付けるようにしてもよい。
【００４０】
また、上記の実施形態では、携帯端末としてスマートフォンを用い、そのスマートフォン用のケースに本発明の携帯端末用保持具を装着する場合について説明したが、携帯端末としては、例えばタブレット端末、電子書籍リーダー、携帯ゲーム端末、或いは二つ折りの携帯電話等を用い、その携帯端末或いはそのケースの裏面に本発明の携帯端末用保持具を装着するようにしてもよい。
【００４１】
更に、上記の実施形態では、本発明の携帯端末用保持具を携帯端末用ケースの裏面に装着する場合について説明したが、本発明の携帯端末用保持具は携帯端末の裏面に直に装着することも可能である。
【産業上の利用可能性】
【００４２】
以上説明したように、本発明の携帯端末用保持具では、リング部を凸状部の中央部に形成された凹部内から引き出して起立させたときに、そのリング部に指を通して携帯端末を片手で確実に保持することができるので、携帯端末の落下を防止することができる。また、リング部を倒して凹部内に収納することにより、背板部を平坦な状態にすることができるので、携帯端末をその液晶表示部の側を上にして平坦な場所に置いて入力操作等を行っても、携帯端末がガタつくことはない。したがって、本発明は、スマートフォンやタブレット端末等の携帯端末又はその携帯端末用のケースに使用するのに好適である。
【符号の説明】
【００４３】
１０  携帯端末用ケース
１１  側部
１１１ａ，１１１ｂ，１１１ｃ  開口部
１２  背部
１２１  開口部
２０  背板部
２１１  第一開口部
２１２  第二開口部
２１３  第三開口部
３０  可動部
３１  基部
３２  凸状部
３２１  突起部
３３  リング部
３３１  環状部
３３２  脚部
３３３  くびれ部
３５  凹部
３５１  小さな凹部
【図１】
2014187586.tif 000003
【図２】
2014187586.tif 000004
【図３】
2014187586.tif 000005
【図４】
2014187586.tif 000006
【図５】
2014187586.tif 000007
【図６】
2014187586.tif 000008